(57)【特許請求の範囲】
【請求項１】
出力装置と、当該出力装置に対しデータ送信する電子機器と、を有する出力システムであって、
前記出力装置は、
自身を特定する特定情報を記憶する特定情報記憶部と、
前記電子機器との通信が確立したタイミングで、前記特定情報を出力する特定情報出力部と、を備え、
前記電子機器は、
通信可能な前記出力装置の一覧を表示する一覧表示部と、
データ出力を行わせたい前記出力装置から出力された前記特定情報を撮像する撮像部と、
前記撮像部の撮像結果に基づいて、前記出力装置の一覧の中から、前記データ送信の対象候補となる出力装置を特定する出力装置特定部と、
前記出力装置特定部の特定結果を表示する特定結果表示部と、を備えたことを特徴とする出力システム。
【請求項２】
前記電子機器は、
前記出力装置特定部が前記対象候補として複数の前記出力装置を特定した場合、当該複数の出力装置の中から１の出力装置を選択する出力装置選択部と、
前記出力装置選択部により選択された前記１の出力装置に対し、前記データ送信を行うデータ送信部と、をさらに備えたことを特徴とする請求項１に記載の出力システム。
【請求項３】
前記出力装置は、前記データ送信されたデータに基づいて、印刷テープ上に印刷を行うテープ印刷装置であり、
前記一覧表示部は、通信可能な前記テープ印刷装置の一覧に、各テープ印刷装置が使用可能な前記印刷テープに関するテープ情報を付加して表示することを特徴とする請求項１または２に記載の出力システム。
【発明の詳細な説明】
【技術分野】
【０００１】
本発明は、出力システムに関するものである。
【背景技術】
【０００２】
従来、パーソナルコンピューター等の電子機器により印刷データを作成し、作成した印刷データを印刷装置に送信して、所望の印刷を行う印刷システムが知られている（特許文献１参照）。このような印刷システムでは、印刷データを送信する電子機器と、印刷データを受信する印刷装置が、有線／無線通信を介して、１対１接続、若しくはネットワーク接続されている。
【先行技術文献】
【特許文献】
【０００３】
【特許文献１】特開２００５−０７８１２８号公報
【発明の概要】
【発明が解決しようとする課題】
【０００４】
ところで、電子機器と印刷装置がネットワーク接続される形態では、各電子機器から複数の印刷装置に対してデータ送信可能な場合が多い。例えば、ネットワークに無線で接続された携帯端末から文書を印刷する場合、自分の場所にかかわらず印刷を行うことができて便利であるが、一番近い印刷装置に印刷すればすぐに印刷物が手に入るので都合がよい。このような場合、通常、印刷設定画面に表示される印刷装置名の一覧の中から所望の印刷装置を選択するが、各印刷装置の機種名を把握していない場合、選択が困難である。すなわち、自分の近くにある特定の印刷装置から印刷を行いたいが、その機種名が分からないため選択ができない、などの事態が考えられる。また、機種名が分かっている場合でも、同メーカーの印刷装置の場合、機種名が似ていることも多く、誤って選択してしまう虞もある。
【０００５】
本発明は、上記の問題点に鑑み、通信可能な出力装置の一覧の中から所望の出力装置を容易且つ正確に選択可能な出力システムを提供することを目的とする。
【課題を解決するための手段】
【０００６】
本発明の出力システムは、出力装置と、当該出力装置に対しデータ送信する電子機器と、を有する出力システムであって、出力装置は、自身を特定する特定情報を記憶する特定情報記憶部と、電子機器との通信が確立したタイミングで、特定情報を出力する特定情報出力部と、を備え、電子機器は、通信可能な出力装置の一覧を表示する一覧表示部と、データ出力を行わせたい出力装置から出力された特定情報を撮像する撮像部と、撮像部の撮像結果に基づいて、出力装置の一覧の中から、データ送信の対象候補となる出力装置を特定する出力装置特定部と、出力装置特定部の特定結果を表示する特定結果表示部と、を備えたことを特徴とする。
上記の出力システムにおいて、電子機器は、出力装置特定部が対象候補として複数の出力装置を特定した場合、当該複数の出力装置の中から１の出力装置を選択する出力装置選択部と、出力装置選択部により選択された１の出力装置に対し、データ送信を行うデータ送信部と、をさらに備えたことを特徴とする。
上記の出力システムにおいて、出力装置は、データ送信されたデータに基づいて、印刷テープ上に印刷を行うテープ印刷装置であり、一覧表示部は、通信可能なテープ印刷装置の一覧に、各テープ印刷装置が使用可能な印刷テープに関するテープ情報を付加して表示することを特徴とする。
なお、以下の構成としても良い。
本発明の電子機器は、出力装置に対し、データ送信する電子機器であって、通信可能な出力装置の一覧を表示する一覧表示部と、データ出力を行わせたい出力装置を撮像する撮像部と、撮像部の撮像結果に基づいて、出力装置の一覧の中から、データ送信の対象となる出力装置を特定する出力装置特定部と、出力装置特定部の特定結果を表示する特定結果表示部と、を備えたことを特徴とする。
【０００７】
本発明の電子機器の制御方法は、出力装置に対し、データ送信する電子機器の制御方法であって、電子機器が、通信可能な出力装置の一覧を表示する一覧表示ステップと、データ出力を行わせたい出力装置を撮像する撮像ステップと、撮像ステップの撮像結果に基づいて、出力装置の一覧の中から、データ送信の対象となる出力装置を特定する出力装置特定ステップと、出力装置特定ステップの特定結果を表示する特定結果表示ステップと、を実行することを特徴とする。
【０００８】
これらの構成によれば、ユーザーにより撮像された出力装置の撮像結果に基づき、その出力装置を特定して表示するため、ユーザーは、どの出力装置が所望の出力装置であるかを把握できる。つまり、出力装置の一覧の中から、撮像対象として目の前に存在する所望の出力装置を容易に選択できる。
なお、特定する出力装置は、１台でも良いし、複数台でも良い。
また、出力装置は、プリンター、ディスプレー、プロジェクター等、電子機器から送信されたデータに基づいて何らかのデータ出力を行うものであれば良い。
【０００９】
上記の電子機器において、出力装置は、当該出力装置を特定する特定情報が表記された筺体を備え、撮像部は、筺体に表記された特定情報を撮像することを特徴とする。
【００１０】
この構成によれば、特定情報に基づいて、出力装置を特定できるため、筐体を撮像した立体物の写真判定によって出力装置を特定する場合と比較して、より正確な特定結果が期待できる。
なお、特定情報は、文字列であっても良いし、当該文字列をコード化したコード画像であっても良い。また、特定情報とは、出力装置の販売メーカー、装置名、装置種別、機種名など、少なくとも出力装置の一覧の中から対象を絞り込むことが可能な情報であれば良い。
【００１１】
上記の電子機器において、出力装置は、出力装置を特定する特定情報を記憶する特定情報記憶部と、特定情報を出力する特定情報出力部と、を備え、撮像部は、特定情報出力部により出力された特定情報を撮像することを特徴とする。
【００１２】
この構成によれば、出力装置が自装置の特定情報を出力するため、これを撮像することでデータ送信の対象となる出力装置を特定できる。また、筐体に特定情報を表記しておく構成の場合、特定情報の汚れ等により正確な撮像結果が得られなくなる可能性があるが、必要なときに特定情報を出力できるため、そのような不具合がない。
なお、特定情報出力部は、出力装置がプリンターである場合、特定情報を印刷する。特に、テープ印刷装置の場合は、特定情報を印刷したラベルを作成する。また、出力装置がディスプレーである場合は特定情報を表示し、出力装置がプロジェクターである場合は特定情報を投写する。
【００１３】
上記の電子機器において、特定情報は、出力装置を一意に特定するシリアル番号を含むことを特徴とする。
【００１４】
この構成によれば、出力装置特定部によって、複数の出力装置が特定されることがないため、ユーザーが所望の出力装置を選択する手間を省くことができる。
【００１５】
上記の電子機器において、出力装置特定部は、データ送信の対象候補となる１以上の出力装置を特定し、特定結果表示部は、出力装置特定部が特定した出力装置を、出力装置の一覧に含まれる他の出力装置に対し、強調して表示することを特徴とする。
【００１６】
この構成によれば、データ送信の対象候補となる１以上の出力装置を、強調表示によってユーザーに分かりやすく提示できる。
【００１７】
上記の電子機器において、出力装置特定部が対象候補として複数の出力装置を特定した場合、当該複数の出力装置の中から１の出力装置を選択する出力装置選択部と、出力装置選択部により選択された１の出力装置に対し、データ送信を行うデータ送信部と、をさらに備えたことを特徴とする。
【００１８】
この構成によれば、ユーザーは、強調表示された対象候補の中から所望の出力装置を選択できる。
【００１９】
上記の電子機器において、出力装置は、データ送信されたデータに基づいて、印刷テープ上に印刷を行うテープ印刷装置であり、一覧表示部は、通信可能なテープ印刷装置の一覧に、各テープ印刷装置が使用可能な印刷テープに関するテープ情報を付加して表示することを特徴とする。
【００２０】
この構成によれば、所望のテープ印刷装置にラベル作成を指示したい場合に、本発明を適用できる。また、ユーザーは、使用可能な印刷テープに関する情報を考慮に入れながら、所望のテープ印刷装置を選択することができる。
なお、テープ情報とは、テープ幅、テープ材質およびテープ色などを指す。
【００２１】
本発明のプログラムは、コンピューターに、上記の電子機器の制御方法における各ステップを実行させることを特徴とする。
【００２２】
このプログラムを用いることにより、通信可能な出力装置の一覧の中からデータ送信の対象となる出力装置を容易且つ正確に選択可能な電子機器の制御方法を実現できる。
【図面の簡単な説明】
【００２３】
【図１】本発明の一実施形態に係る印刷システムのシステム構成図である。
【図２】携帯端末およびテープ印刷装置の外観図である。
【図３】携帯端末およびテープ印刷装置の制御ブロック図である。
【図４】（ａ）は、編集画面を示す図であり、（ｂ）は、編集画面上に表示された設定選択画面を示す図である。
【図５】（ａ）は、候補一覧画面を示す図であり、（ｂ）は、候補一覧画面におけるテープ印刷装置の特定結果を示す図である。
【図６】印刷処理の流れを示すフローチャートである。
【図７】（ａ）は、特定情報として、筐体に特文字列が表記されたテープ印刷装置の外観図であり、（ｂ）は、特定情報として、筐体にコード画像が表記されたテープ印刷装置の外観図である。
【図８】（ａ）は、第２実施形態に係るラベルの作成結果を示す図であり、（ｂ）は、筐体にそのラベルが貼付されたテープ印刷装置の外観図である。
【図９】第３実施形態に係る投写システムの概要を示す説明図である。
【発明を実施するための形態】
【００２４】
以下、添付の図面を参照して、本発明の出力システムについて説明する。本実施形態では、出力装置として、テープ状部材（以下、「印刷テープ」と称する）に印刷を行ってラベルを作成するテープ印刷装置を用いた場合を例示する。
【００２５】
［第１実施形態］
図１は、本発明の一実施形態に係る印刷システムＳＹ１（出力システム）のシステム構成図である。同図に示すように、印刷システムＳＹ１は、携帯型の情報端末である携帯端末１（電子機器）と、プリントサーバーとして機能する１台以上の無線ＬＡＮ（Local  Area  Network）ルーター４と、携帯端末１によって作成された印刷データに基づいて印刷を行う１台以上のテープ印刷装置２と、から成る。このうち、携帯端末１と無線ＬＡＮルーター４とは無線ＬＡＮを介して接続され、無線ＬＡＮルーター４とテープ印刷装置２とはＵＳＢケーブル若しくは有線／無線ＬＡＮを介して接続されている。
【００２６】
同図に示すように本実施形態では、携帯端末１が、無線ＬＡＮルーター４（Ａ）を介して、２台のテープ印刷装置２（Ａ１，Ａ２）と通信可能であり、さらに無線ＬＡＮルーター４（Ｂ）を介して、３台のテープ印刷装置２（Ｂ１，Ｂ２，Ｂ３）と通信可能であるものとする。また、各テープ印刷装置２の機種名および使用可能な印刷テープＴ（図２参照）のテープ幅は、同図に示す通りである。
【００２７】
図２は、携帯端末１およびテープ印刷装置２の外観図である。携帯端末１は、その筐体表面にタッチパネル１１および操作子１２を備えた一般的なスマートフォンである。操作子１２は、物理的な操作子であり（タッチパネル１１上に表示されるボタン群とは異なる）、電源ＯＮ／ＯＦＦ機能や、アプリケーションの終了機能など、特定の機能が割り当てられている。
【００２８】
また、携帯端末１は、カメラ機能を有しており、筐体裏面には撮像レンズ７０が設けられている。本実施形態では、この携帯端末１のカメラ機能を用いてテープ印刷装置２の筐体（外観）を撮像することにより、印刷データの送信対象となるテープ印刷装置２の候補（以下、「テープ印刷装置候補」と称する）を特定する。詳細については、後述する。なお、携帯端末１としては、スマートフォンに限らず、携帯電話やタブレット端末など各種情報処理端末を用いても良い。
【００２９】
テープ印刷装置２は、長尺状の印刷テープＴおよびインクリボンが巻回された状態で収容されたテープカートリッジ２１が装着され、当該テープカートリッジ２１から印刷テープＴを繰り出しつつ、携帯端末１から受信した印刷データに基づいて、印刷処理および切断処理を行う。印刷テープＴの印刷済み部分は、切断処理後、テープ排出口２９から排出され、ラベルとして用いられる。
【００３０】
次に、図３を参照し、携帯端末１およびテープ印刷装置２の制御構成について説明する。携帯端末１は、タッチパネル１１と、カメラ機構１５（撮像部）と、無線通信インターフェース１３と、フラッシュメモリー１４と、端末側制御部１８と、を備えている。
【００３１】
タッチパネル１１は、表示手段および操作手段として機能する。本実施形態では、主に編集画面Ｄ１（図４参照）および候補一覧画面Ｄ２（図５参照）の表示（一覧表示部，特定結果表示部）、並びに両画面に表示された各種操作子群の操作に用いられる（出力装置選択部）。
【００３２】
カメラ機構１５は、撮像レンズ７０と、カメラ機能を実現するための画像処理系およびカメラ制御系を指す。無線通信インターフェース１３は、無線ＬＡＮルーター４との通信を行うものであり、印刷データの送信（データ送信部）、ステータス情報要求信号の送信およびステータス情報の受信などに用いられる。フラッシュメモリー１４は、携帯端末１のメインメモリーとして用いられ、専用アプリケーション１４ａを記憶している。当該専用アプリケーション１４ａは、図４および図５に示す各種画面の表示処理および図６に示す一連の印刷処理を実現するためのアプリケーションであり、所定のサーバー（Ｗｅｂサイト）からダウンロードされる。
【００３３】
端末側制御部１８は、ＣＰＵ（Central  Processing  Unit）、ＲＯＭ（Read  Only  Memory）およびＲＡＭ（Random  Access  Memory）等から成り、専用アプリケーション１４ａに基づく印刷データ生成処理、カメラ機構１５を用いた撮像処理、テープ印刷装置２との通信処理、タッチパネル１１の表示制御処理など、各種処理を制御する。その他本実施形態では、カメラ機構１５によるテープ印刷装置２の撮像結果を画像解析し、撮像されたテープ印刷装置２の機種を特定する（出力装置特定部）。画像解析処理としては、テープ印刷装置２を多方向から撮像したサンプルデータを機種別に用意しておき、撮像結果と各サンプルデータとを照合することによって、機種を特定する。
【００３４】
一方、テープ印刷装置２は、有線通信インターフェース２２と、印刷ヘッド２３と、テープ送りモーター２４と、カッターモーター２５と、テープカッター２６と、テープ識別センサー２７と、印刷装置側制御部２８と、を備えている。
【００３５】
有線通信インターフェース２２は、ＵＳＢインターフェースなどにより構成され、印刷データの受信およびステータス情報の送信等に用いられる。印刷ヘッド２３は、サーマルヘッドであり、繰り出された印刷テープＴおよびインクリボンを、プラテンローラー（図示省略）との間に挟み込んで印刷を行う。テープ送りモーター２４は、繰り出された印刷テープＴを、印刷ヘッド２３からテープ排出口２９に向けて搬送する。カッターモーター２５は、テープカッター２６を駆動し、テープ送りを一旦停止した状態で、印刷テープＴの印刷済み部分をテープ幅方向に切断する。
【００３６】
テープ識別センサー２７は、テープカートリッジ２１が装着されるカートリッジ装着部に設けられ、テープカートリッジ２１に形成された複数の検出孔の有無に基づいて、印刷テープＴの種別を検出する。検出されたテープ種別に関する情報（テープ幅やテープ材質等に関するテープ情報）は、ステータス情報の一部として、携帯端末１に送信される。
【００３７】
印刷装置側制御部２８は、ＣＰＵ、ＲＯＭおよびＲＡＭ等から成り、テープ印刷装置２の統括制御を行う。ＲＯＭ内には、ＣＰＵが各種制御を行うための制御プログラムおよび制御情報を記憶している。制御プログラムとしては、携帯端末１から送信された各種コマンドを解析するためのコマンド解析プログラムや、印刷処理および切断処理を行うための印刷／切断処理プログラム等を記憶している。
【００３８】
次に、図４および図５を参照し、編集画面Ｄ１および候補一覧画面Ｄ２の画面構成および、各画面の操作について説明する。図４に示すように、編集画面Ｄ１は、編集結果表示領域Ｅ１、メニュー表示領域Ｅ２、ステータス表示領域Ｅ３および操作ボタン表示領域Ｅ４を有している。この編集画面Ｄ１は、専用アプリケーション１４ａの起動直後、タッチパネル１１上に表示されるメイン画面となっている。
【００３９】
編集結果表示領域Ｅ１は、印刷テープＴのイメージであるテープイメージ上に、編集中の印刷データを重畳して表示する。また、フリップ操作（タッチパネル１１上を指で軽くはらう操作）によって、テープ長方向へのスクロール表示が可能である。
【００４０】
メニュー表示領域Ｅ２は、テープ長設定メニュー５１、テープ幅設定メニュー５２、文字サイズ設定メニュー５３およびイメージ設定メニュー５４を含む。テープ長設定メニュー５１は、作成されるラベルのテープ長を印刷データに応じて自動設定する自動設定ボタンと、作成されるラベルのテープ長をユーザーが手動設定する固定設定ボタンと、手動設定の際にテープ長を入力するテキストボックスと、を有している。テープ長を手動設定したい場合、ユーザーは固定設定ボタンを選択し、その後テキストボックスにテープ長をｍｍ単位で数値入力する。
【００４１】
テープ幅設定メニュー５２は、印刷テープＴのテープ幅を、「１００ｍｍ」、「５０ｍｍ」、「３６ｍｍ」、「２４ｍｍ」、「１８ｍｍ」、「１２ｍｍ」の中から選択可能となっている。なお、テープ印刷装置２に実際に装着されている印刷テープＴのテープ幅（使用可能な印刷テープＴに関するテープ情報）と、テープ幅設定メニュー５２設定されたテープ幅とが異なる場合、印刷指示時に警告メッセージを表示する。
【００４２】
文字サイズ設定メニュー５３は、文字（テキスト）の文字サイズを、「大」、「中」、「小」の中から選択可能となっている。イメージ設定メニュー５４は、イメージ（画像データ）の挿入位置を、「なし」、「左」、「全体」、「右」の中から選択可能となっている。ここで、「左」が選択されると、ラベルに対しイメージを左寄せの配置とする。また、「右」が選択されると、ラベルに対しイメージを右寄せの配置とする。さらに、「全体」が選択されると、テープ幅方向にイメージを拡大し、ラベル全体にイメージを配置する。
【００４３】
ステータス表示領域Ｅ３は、印刷データの送信対象として特定されているテープ印刷装置２のステータス情報を表示する（データ送信対象となるテープ印刷装置２の特定方法については後述する）。本実施形態の携帯端末１は、通信可能な各テープ印刷装置２に対し定期的にステータス送信要求を行い、各テープ印刷装置２はこれに対してステータス情報を返信する。なお、ステータス情報としては、テープ印刷装置２の機種名、テープ幅、テープ印刷装置２の状態を示す情報（各種エラー情報を含む）を表示する。このうち、テープ幅は、テープ識別センサー２７（図３参照）の検出結果に基づく情報（テープ情報）である。
【００４４】
操作ボタン表示領域Ｅ４は、「印刷」ボタン５５、「プレビュー」ボタン５６、「追加機能」ボタン５７、「設定」ボタン５８、「開く」ボタン５９および「保存」ボタン６０を有している。例えば、「印刷」ボタン５５が押下されると、テープ印刷装置２に対し印刷データを送信する。なお、「印刷」ボタン５５は、印刷データが確定した状態のみ、押下可能となっている。また、「プレビュー」ボタン５６が押下されると、編集中の印刷データに基づき、ラベルの作成イメージを示すプレビュー画面を表示する（図示省略）。また、「追加機能」ボタン５７が押下されると、イメージ選択、ＱＲコード作成、外枠の選択、ラベル余白の設定などを行うための機能選択画面を表示する（図示省略）。また、「設定」ボタン５８が押下されると、図４（ｂ）に示す設定選択画面を編集画面Ｄ１上に重畳表示する。また、「開く」ボタン５９が押下されると、保存しておいた印刷データファイルを開く。また、「保存」ボタン６０が押下されると、生成した印刷データを、印刷データファイルとして保存する。
【００４５】
図４（ｂ）に示すように、設定選択画面は、複数のボタン候補を表示する。例えば「テープ送り」ボタン６１が押下されると、テープ印刷装置２に対し、所定長さ分のテープ送りを指示する。また、「テープ送りカット」ボタン６２が押下されると、テープ印刷装置２に対し、所定長さ分のテープ送りおよびテープ切断を指示する。また、「テープ印刷装置の選択」ボタン６３が押下されると、図５（ａ）に示す候補一覧画面Ｄ２を表示する。また、「キャンセル」ボタン６４が押下されると、設定選択画面を閉じる。
【００４６】
図５（ａ）に示すように、候補一覧画面Ｄ２は、カメラボタン６５、「キャンセル」ボタン６６および候補一覧６７を表示する（一覧表示部）。例えば、カメラボタン６５が押下されると、カメラ機能による撮像を行う。また、「キャンセル」ボタン６６が押下されると、候補一覧画面Ｄ２を閉じる。また、候補一覧６７には、携帯端末１が通信可能なテープ印刷装置２の一覧を表示する。本実施形態では、５台のテープ印刷装置２と通信可能となっており（図１参照）、印刷データの送信対象候補となる５つのテープ印刷装置候補が列記されている。
【００４７】
各テープ印刷装置候補は、機種名およびルーター名を示す特定情報６８と、テープ幅６９とを示している。これらの情報は、各テープ印刷装置２との通信によって得られる情報である。また、ルーター名は、データ通信の経由ポイントとなる無線ＬＡＮルーター４の名称である。なお、候補一覧６７に表示されるテープ印刷装置候補の列記順序は、各テープ印刷装置２と通信を確立した順、機種名順、ルーター名順、テープ幅順のいずれであっても良い。また、どの順序で表示するか（ソートするか）を、ユーザーが任意に設定可能としても良い。
【００４８】
ユーザーは、所望のテープ印刷装置２を選択したい場合、タッチパネル１１上に候補一覧画面Ｄ２を表示させ、携帯端末１の撮像レンズ７０をテープ印刷装置２に向けてカメラボタン６５を押下する。図５（ｂ）は、その撮像結果に基づき、テープ印刷装置２の機種を特定した結果を示す図である（特定結果表示部）。同図に示すように、特定した機種（同図の例では「ＳＲ３７００」）のテープ印刷装置候補を、他の候補よりも強調して（太字、濃い色、飾り字、その他装飾を付して）表示する。これにより、ユーザーは、印刷を行いたいテープ印刷装置２（撮像したテープ印刷装置２）の機種が分からない場合でも、強調表示によって機種名を知ることができる。
【００４９】
なお、図５（ｂ）に示すように、強調表示されたテープ印刷装置候補が複数存在する場合、ユーザーはテープ幅６９の表示を手掛かりに、所望のテープ印刷装置２を選択する。なお、無線ＬＡＮルーター４の名称が分かっている場合、表示されたルーター名を手掛かりとして、所望のテープ印刷装置２を選択しても良い。このように、ユーザーによって候補一覧６７の中からいずれかのテープ印刷装置候補が選択されることにより、１のテープ印刷装置２を、データ送信対象として特定する。特定したテープ印刷装置２の機種名およびテープ幅は、ステータス表示領域Ｅ３に表示される（図４（ａ）参照）。
【００５０】
次に、図６のフローチャートを参照し、印刷処理の流れを説明する。まず、携帯端末１は、候補一覧画面Ｄ２により、通信可能なテープ印刷装置候補の一覧を表示する（Ｓ０１，一覧表示ステップ）。この状態で、テープ印刷装置２が撮像されると（Ｓ０２，撮像ステップ）、その撮像結果に基づいて、テープ印刷装置２の機種を特定する（Ｓ０３，出力装置特定ステップ）。なお、撮像不良によりテープ印刷装置２の機種を特定できなかった場合は、撮り直しを指示するメッセージ画面を表示する（図示省略）。
【００５１】
テープ印刷装置２の機種を特定すると、候補一覧画面Ｄ２上で、特定した機種のテープ印刷装置候補を強調表示する（Ｓ０４，図５（ｂ）参照，特定結果表示ステップ）。その後、ユーザーにより１のテープ印刷装置候補が選択されると（Ｓ０５：Ｙｅｓ）、印刷データの送信対象となるテープ印刷装置２を特定し、編集画面Ｄ１のステータス表示領域Ｅ３に表示する（Ｓ０６，図４（ａ）参照）。その後、「印刷」ボタン５５の押下により印刷指示されると（Ｓ０７：Ｙｅｓ）、テープ印刷装置２に対し印刷データを送信する（Ｓ０８）。
【００５２】
以上説明したとおり、本実施形態によれば、テープ印刷装置２の撮像結果に基づき、そのテープ印刷装置２の機種を特定して表示するため、ユーザーは、所望のテープ印刷装置２の機種を確認することができる。つまり、撮像対象として目の前に存在する所望のテープ印刷装置２に印刷を行わせるべく、容易且つ正確にテープ印刷装置候補を選択することができる。
【００５３】
また、特定した機種に対応する１以上のテープ印刷装置候補の中から、ユーザーが所望する１のテープ印刷装置２を選択する構成であるため、特定精度が低い場合でも、誤ってユーザーの意図しないテープ印刷装置２に対しデータ送信することがない。また、テープ印刷装置候補として、テープ幅６９を併記するため、同機種のテープ印刷装置候補が複数表示された場合でも、テープ幅に基づいて、所望のテープ印刷装置２を選択することができる。
【００５４】
なお、上記の実施形態では、テープ印刷装置２の筐体（外観）を撮像したが、テープ印刷装置２の筐体に表記（印字、貼付など）された特定情報を撮像しても良い。例えば、図７（ａ）の例では、テープ印刷装置２の筐体に、特定情報として機種名７１が印字された例を示している。この場合、撮像結果をテキスト解析することによって、テープ印刷装置２の機種を特定する。
【００５５】
また、図７（ｂ）に示すように、特定情報をコード画像７２としても良い。この場合、携帯端末１は、コード画像７２を撮像してデコード処理を行うことにより、特定情報を取得する。この構成によれば、写真判定やテキスト解析を行う上記構成と比較して、より正確にテープ印刷装置２の機種を特定できる。
【００５６】
なお、特定情報に、テープ印刷装置２を一意に特定するシリアル番号を含めても良い。つまり、テープ印刷装置２の筐体にシリアル番号を表記したり、コード画像７２にシリアル番号を示す情報を含めても良い。この場合、各テープ印刷装置２は、自身のシリアル番号を不揮発に記憶しておく。また、携帯端末１は、テープ印刷装置２との通信確立時、またはステータス情報の一部として定期的に、各テープ印刷装置２のシリアル番号を取得する。
【００５７】
これにより、携帯端末１は、特定情報の撮像結果に基づいて、候補一覧６７の中から１のテープ印刷装置２を特定できる。つまり、本例においては、テープ印刷装置２（特定情報）の撮像によって、データ送信対象となるテープ印刷装置２を特定できるため、図６のフローチャートにおいて、Ｓ０３からＳ０５を省略できる（点線矢印Ｙ０参照）。つまり、ユーザーによるテープ印刷装置２の選択の手間を省くことができる。なおこの場合、請求項における出力装置特定ステップおよび特定結果表示ステップは、Ｓ０６に相当する。なお、シリアル番号に代えて、テープ印刷装置２にホスト名を記憶させておく構成でも良い。
【００５８】
また、上記の実施形態では、携帯端末１とテープ印刷装置２が無線ＬＡＮルーター４を介して接続された構成を示したが、携帯端末１とテープ印刷装置２が直接接続された構成であっても良い。この場合、携帯端末１とテープ印刷装置２は、有線接続、無線接続のいずれであっても良い。また、通信方式も、例えば無線接続の場合、赤外線通信やブルートゥース（登録商標）通信などその種類を問わない。
【００５９】
また、上記の実施形態では、強調表示されたテープ印刷装置候補の中からデータ送信対象となるテープ印刷装置２を選択したが、強調表示されていないテープ印刷装置候補も選択可能としても良い。この構成によれば、携帯端末１がテープ印刷装置２の新機種に対応できていない場合（新機種のサンプルデータを有しない場合）、誤った機種が特定されたり機種を特定できなかったりすることが想定されるが、そのような場合でもデータ送信を妨げることがない。なお、機種を特定できない場合、その旨を表示し、特定結果を表示しない（通信可能な全てのテープ印刷装置候補を選択可能とする）構成としても良い。
【００６０】
また、上記の実施形態では、出力装置の一例としてテープ印刷装置２を例示したが、コピー用紙や葉書などの印刷媒体を用いる印刷装置（切断機能を有しない印刷装置）にも、本実施形態を適用可能である。
【００６１】
［第２実施形態］
次に、図８を参照し、本発明の第２実施形態について説明する。上記の第１実施形態では、テープ印刷装置２の筐体を撮像したが、本実施形態では、テープ印刷装置２によって作成されるラベルを撮像する。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００６２】
図８（ａ）は、第２実施形態に係るテープ印刷装置２によって作成された特定情報ラベル７３の作成結果を示す図であり、同図（ｂ）は、テープ印刷装置２の筐体にその特定情報ラベル７３が貼付されたテープ印刷装置２の外観図である。本実施形態のテープ印刷装置２は、テープ印刷装置２自身を特定する特定情報として、機種名７５、シリアル番号７６およびこれらをコード化したコード画像７７を、印刷装置側制御部２８のＲＯＭ内に記憶している（特定情報記憶部）。なお特定情報は、これら全てではなく一部（例えば、コード画像７７）だけであっても良い。
【００６３】
また、テープ印刷装置２は、所定のタイミングで、当該特定情報を印刷テープＴに印刷し、特定情報ラベル７３を作成する（特定情報出力部）。なお、所定のタイミングとしては、テープ印刷装置２の電源投入時、テープ印刷装置２に設けられた所定操作子の操作時、テープ印刷装置２の機能メニュー選択により、特定情報ラベル７３の作成が指示されたとき、テープ印刷装置２に無線ＬＡＮルーター４と繋がるケーブルが接続されたとき、携帯端末１との通信確立時、携帯端末１から特定情報ラベル７３の印刷指令コマンドを受信したとき、などが考えられる。
【００６４】
ユーザーは、作成された特定情報ラベル７３を、テープ印刷装置２の筐体に貼付しておき、テープ印刷装置２を特定する際の撮像対象として用いる（図８（ｂ）参照）。また、携帯端末１は、コード画像７７を撮像してデコード処理を行うことにより、テープ印刷装置２の特定情報を取得し、印刷データの送信対象となるテープ印刷装置２を特定する。このように、第２実施形態によれば、テープ印刷装置２が自装置の特定情報を印刷するため、これを撮像することでデータ送信の対象となるテープ印刷装置２を特定できる。また、図７に示した例のように、テープ印刷装置２の筐体に特定情報を印字または貼付しておく構成の場合、印字文字が汚れたり、印刷部材が剥がれてしまったりすることで正確な撮像結果が得られなくなる可能性があるが、本実施形態の場合、必要に応じて特定情報を印刷できるため、そのような不具合がない。
【００６５】
［第３実施形態］
次に、図９を参照し、本発明の第３実施形態について説明する。上記の第１，２実施形態では、出力装置としてテープ印刷装置２を用いた場合を例示したが、本実施形態ではプロジェクター８０を用いる。以下、第１実施形態と異なる点のみ説明する。
【００６６】
図９は、第３実施形態に係る投写システムＳＹ２の概要を示す説明図である。投写システムＳＹ２は、携帯端末１と、不図示のスクリーンに対して映像を投写するプロジェクター８０と、携帯端末１とプロジェクター８０を相互接続する不図示の無線ＬＡＮルーターと、を備えている。当該無線ＬＡＮルーターは、第１実施形態の無線ＬＡＮルーター４と同様に機能する。本実施形態では、ユーザーが携帯端末１のカメラ機能を用いてプロジェクター８０の筐体（外観）を撮像することにより、プロジェクター８０の機種（プロジェクター候補）が特定される（強調表示される）。ユーザーは、特定された候補の中から、投写データの送信対象となるプロジェクター８０を選択し、投写指示を行う。
【００６７】
このように、第３実施形態によれば、携帯端末１と通信可能なプロジェクター８０が多数存在する場合であって、その中から所望のプロジェクター８０を選択したい場合、その選択操作を容易且つ迅速に行うことができる。なお、第３実施形態では、出力装置としてプロジェクター８０を用いたが、その他の表示装置（各種ディスプレー）にも、本実施形態を適用可能である。
【００６８】
なお、変形例として、第２実施形態と第３実施形態を組み合わせ、プロジェクター８０が自装置の特定情報を投写しても良い。この場合、プロジェクター８０は、特定情報を不揮発に記憶しており（特定情報記憶部）、所定のタイミングで特定情報を含む投写映像をスクリーン上に投写する（特定情報出力部）。当該特定情報には、機種名、シリアル番号およびこれらをコード化したコード画像が含まれる。ユーザーは、スクリーン上に投写された特定情報を携帯端末１によって撮像する。なお、所定のタイミングとしては、プロジェクター８０の電源投入時、プロジェクター８０に設けられた所定操作子の操作時、プロジェクター８０の投写開始時、プロジェクター８０により表示されるメニュー画面から「特定情報表示」が選択されたとき、プロジェクター８０に無線ＬＡＮルーターと繋がるケーブルが接続されたとき、携帯端末１との通信確立時、携帯端末１から特定情報の表示指令コマンドを受信したとき、などが考えられる。
【００６９】
以上、３つの実施形態を示したが、各実施形態に示した印刷システムＳＹ１および投写システムＳＹ２の携帯端末１、テープ印刷装置２、プロジェクター８０における各構成要素をプログラムとして提供することが可能である。また、そのプログラムを各種記録媒体（ＣＤ−ＲＯＭ、フラッシュメモリー等）に格納して提供することも可能である。すなわち、コンピューターを携帯端末１、テープ印刷装置２、プロジェクター８０の各構成要素として機能させるためのプログラム、およびそれを記録した記録媒体も、本発明の権利範囲に含まれる。その他、本発明の要旨を逸脱しない範囲で、適宜変更が可能である。
【符号の説明】
【００７０】
１…携帯端末  ２…テープ印刷装置  ４…無線ＬＡＮルーター  １１…タッチパネル  １２…操作子  １４ａ…専用アプリケーション  １５…カメラ機構  １８…端末側制御部  ２１…テープカートリッジ  ２３…印刷ヘッド  ２７…テープ識別センサー  ２８…印刷装置側制御部  ２９……テープ排出口  ６７…候補一覧  ６８…特定情報  ６９…テープ幅  ７０…撮像レンズ  ７１…機種名  ７２…コード画像  ７３…特定情報ラベル  ７５…機種名  ７６…シリアル番号  ７７…コード画像  ８０…プロジェクター  Ｄ１…編集画面  Ｄ２…候補一覧画面  ＳＹ１…印刷システム  ＳＹ２…投写システム  Ｔ…印刷テープ
【図１】
0005899989.tif 000002
【図２】
0005899989.tif 000003
【図３】
0005899989.tif 000004
【図４】
0005899989.tif 000005
【図５】
0005899989.tif 000006
【図６】
0005899989.tif 000007
【図７】
0005899989.tif 000008
【図８】
0005899989.tif 000009
【図９】
0005899989.tif 000010